(57)【要約】【課題】金網を胴縁に簡単に取り付けることができるネットフェンスを提供する。【解決手段】ネット３０に、厚さ方向に突出した係止部５０を設け、この係止部５０を、厚さ方向の寸法が胴縁２０の開口部２１の開口幅Ｗより小さくなるように弾性変形させた状態で胴縁２０の開口部２１に挿入し、胴縁２０の内部で、前記寸法が前記開口幅Ｗよりも大きくなるように係止部５０を弾性復元させることにより、ネット３０の端縁を胴縁２０に取り付ける。【選択図】図３
2011102471.tif 000002
【特許請求の範囲】
【請求項１】
上下方向に延び、幅方向に離隔して配された複数の支柱と、支柱間に幅方向に掛け渡され、上下方向に離隔して配された一対の胴縁と、胴縁の間に張設され、ジグザグ状に屈曲形成した複数の列線の屈曲部同士を幅方向で互いに係合させてなるネットとを有し、前記胴縁が、側面に開口部を有する中空パイプ状を成し、該胴縁の側面開口部にネットの上下端縁を取り付けたネットフェンスにおいて、
ネットの上下端縁に、厚さ方向の寸法が前記胴縁の開口部の厚さ方向の開口幅よりも大きく、且つ、前記寸法が前記開口幅よりも小さくなるように弾性変形可能な係止部を設け、該係止部を胴縁の内部に収容し、胴縁の内部で該係止部と胴縁とを上下方向で係合させることでネットの胴縁からの抜けを規制するネットフェンス。
【請求項２】
前記係止部を、一対の列線の一方の端部における屈曲部同士を係合させ、該係合部から各列線の一方の端部を他方の端部側に折り曲げると共に、該端部をネットから厚さ方向に突出させることにより形成した請求項１記載のネットフェンス。
【請求項３】
前記一対の列線の一方の端部を、それぞれ自身の列線の他方の端部側を通って交差させてネットから厚さ方向に突出させ、該交差部よりも各列線の先端側で各列線を胴縁に係合させるようにした請求項２記載のネットフェンス。
【請求項４】
胴縁に、開口部から胴縁の内部側に延びたカエリを形成した請求項１〜３何れかに記載のネットフェンス。
【請求項５】
上下方向に延び、幅方向に離隔して配された複数の支柱と、支柱間に幅方向に掛け渡され、上下方向に離隔して配された一対の胴縁と、胴縁の間に張設され、ジグザグ状に屈曲形成した複数の列線の屈曲部同士を幅方向で互いに係合させてなるネットとを有し、前記胴縁が、側面に開口部を有する中空パイプ状を成すと共に、ネットの上下端縁に、厚さ方向の寸法が胴縁の開口部の厚さ方向の開口幅よりも大きい係止部を設け、胴縁の側面開口部に前記係止部を取り付けてネットフェンスを組み立てるにあたり、
前記係止部を、厚さ方向寸法が胴縁の開口部の前記開口幅より小さくなるように弾性変形させた状態で該開口部に挿入し、胴縁の内部で、前記寸法が前記開口幅よりも大きくなるように前記係止部を弾性復元させることにより、ネットを胴縁に取り付けるネットフェンスの組立方法。
【発明の詳細な説明】
【技術分野】
【０００１】
本発明は、ネットフェンスに関する。
【背景技術】
【０００２】
ネットフェンスは、地面に立設された複数の支柱と、支柱間に水平方向に掛け渡された上下の胴縁と、上下の胴縁間に張設されたネット（金網等）とを有し、例えば運動場や駐車場等の金網フェンスとして使用される。
【０００３】
胴縁にネットを取り付ける構造として、例えば、ネットの上下端縁に沿って水平方向に番線（張線）を挿通すると共に、この番線を胴縁に設けた係止片に引っ掛けて固定する構造が公知である（特許文献１参照）。
【０００４】
また、特許文献２に示されているネットフェンスでは、中空の胴縁に長手方向に平行に延びる開口部を形成すると共に、金網の線材の端部をコイル状に複数回巻いて形成し、この金網のコイル状端部を胴縁の内部に収容することでネットを胴縁に固定している。このネットフェンスは、胴縁の端部からカーテンを引くようにして金網のコイル状端部を胴縁の内部に通すことにより、金網を胴縁に取り付けることができる。
【先行技術文献】
【特許文献】
【０００５】
【特許文献１】実用新案登録第３０９８６６５号公報
【特許文献２】特開２００５−１８８１６４号公報
【発明の概要】
【発明が解決しようとする課題】
【０００６】
しかし、特許文献１のように、金網に番線を挿通する作業は技術的に非常に困難であり、熟練した職人にしか行えないのが実情である。
【０００７】
特許文献２のネットフェンスは、カーテンを引くようにして金網を胴縁に取り付けるため、番線を挿通する作業と比べると、比較的簡単に取付作業を行うことができる。しかし、金網の水平方向の長さが非常に長い場合には、カーテンを引くように金網を胴縁に取り付けることが困難となるため、水平方向の長さの短い金網しか取り付けることができない。
【０００８】
本発明の課題は、ネットが非常に長い場合であっても、ネットを胴縁に簡単に取り付けることができるネットフェンスを提供することにある。
【課題を解決するための手段】
【０００９】
前記課題を解決するために、本発明は、上下方向に延び、幅方向に離隔して配された複数の支柱と、支柱間に幅方向に掛け渡され、上下方向に離隔して配された一対の胴縁と、胴縁の間に張設され、ジグザグ状に屈曲形成した複数の列線の屈曲部同士を幅方向で互いに係合させてなるネットとを有し、前記胴縁が、側面に開口部を有する中空パイプ状を成し、該胴縁の側面開口部にネットの上下端縁を取り付けたネットフェンスにおいて、ネットの上下端縁に、厚さ方向の寸法が前記胴縁の開口部の厚さ方向の開口幅よりも大きく、且つ、前記寸法が前記開口幅よりも小さくなるように弾性変形可能な係止部を設け、該係止部を胴縁の内部に収容し、胴縁の内部で該係止部と胴縁とを上下方向で係合させることでネットの胴縁からの抜けを規制するものである。
【００１０】
尚、「上下方向」とは支柱の延びる方向、「幅方向」とは胴縁の延びる方向のことを言う。また、「厚さ方向」とは、ネットと直交する方向、すなわち、上下方向及び幅方向の双方と直交する方向のことを言う。
【００１１】
このように、本発明のネットフェンスでは、ネットの上下端縁に、胴縁の開口部の開口幅よりも厚さ方向寸法の大きい係止部を設け、胴縁の内部で係止部と胴縁とを上下方向で係合させることにより、ネットと胴縁とを固定している。このように、ネットの上下端縁に形成した係止部を直接胴縁と係合させる構成とすることで、番線を用いることなくネットを胴縁に固定できるため、番線をネットに挿通する技術的に難しい作業を省略できる。また、係止部を、胴縁の開口幅より厚さ方向寸法が小さくなるように弾性変形可能とすることで、次のような方法でネットを胴縁に取り付けることができる。すなわち、係止部を、厚さ方向の寸法が胴縁の開口部の開口幅より小さくなるように弾性変形させた状態で該開口部に挿入し、胴縁の内部で、前記寸法が前記開口幅よりも大きくなるように前記係止部を弾性復元させることにより、ネットを胴縁に取り付けることができる。これにより、ネットの係止部を胴縁の側方から開口部に差し込むことによりネットを胴縁に取り付けることが可能となるため、ネットが非常に長い場合であっても胴縁への取り付け作業を容易に行うことができる。
【００１２】
前記係止部は、例えば、一対の列線の一方の端部における屈曲部同士を係合させ、該係合部から各列線の一方の端部を他方の端部側に折り曲げると共に、該端部をネットから厚さ方向に突出させることにより形成することができる。このように、ネットの列線を折り曲げて係止部を形成することで、例えば別途の部材で係止部を形成する場合と比べて、係止部をネットに装着する工程を省略できるためネットフェンスの組立作業が簡略化される。
【００１３】
このとき、係止部を構成する一対の列線の一方の端部を、それぞれ自身の列線の他方の端部側を通って交差させてネットから厚さ方向に突出させ、該交差部よりも各列線の先端側で各列線を胴縁に係合させるようにすれば、ネットが胴縁から引き抜く方向（他方の端部側）に引っ張られ、胴縁との係合により係止部が相対的に一方の端部側に変形する場合でも、上記の交差部で係止部の一方の端部側への変形が規制されるため、列線同士の係合部が解ける事態を確実に防止できる。
【００１４】
胴縁に、開口部から胴縁の内部側に延びたカエリを形成すれば、より確実に係止部と胴縁とを係合させることができる。
【発明の効果】
【００１５】
以上のように、本発明のネットフェンスによれば、ネットが非常に長い場合であっても、ネットを胴縁に簡単に取り付けることができるため、従来のネットフェンスと比べて施工性が格段に向上し、短時間での施工が可能となる。
【図面の簡単な説明】
【００１６】
【図１】（ａ）はネットフェンスの正面図、（ｂ）は同側面図である。
【図２】胴縁の断面斜視図である。
【図３】（ａ）は胴縁とネットとの固定部を正面から見た断面正面図、（ｂ）は（ａ）図のＡ方向からみた断面側面図、（ｃ）は（ａ）図のＢ−Ｂ断面図を矢印方向に見た断面平面図を示す。
【図４】（ａ）はナックルの形成手順を示す正面図、（ｂ）は同平面図、（ｃ）は同側面図である。
【図５】（ａ）はナックルの形成手順を示す正面図、（ｂ）は同側面図である。
【図６】（ａ）はナックルの形成手順を示す正面図、（ｂ）は同平面図、（ｃ）は同側面図である。
【図７】（ａ）はナックルを胴縁の開口部に差し込む様子を示す断面図、（ｂ）はさらにナックルを押し込んだ様子を示す断面図である。
【発明を実施するための形態】
【００１７】
以下、本発明の実施形態を図面に基づいて説明する。
【００１８】
本発明の一実施形態に係るネットフェンスは、図１に示すように、所定間隔で上下方向（本実施形態では鉛直方向）に立設された複数本の支柱１０と、支柱１０間に幅方向（本実施形態では水平方向）に掛け渡された上下の胴縁２０と、上下の胴縁２０間に張設されたネット３０とを備える。上下の胴縁２０は、それぞれ支柱１０の上端部付近及び下端部付近にボルト等で固定され、ネット３０の上下端縁がそれぞれ上下の胴縁２０に固定される。
【００１９】
支柱１０は、例えば鉄板の曲げ加工により横断面略コの字形状に形成される。各支柱１０の下端部は地面に埋め込まれたベース１１に固定される。
【００２０】
胴縁２０は中空パイプ状に形成され、本実施形態では、図２に示すように断面矩形状に形成される。胴縁２０のうち、ネット３０が取り付けられる側の面、すなわち上側の胴縁２０の下面、及び、下側の胴縁２０の上面には、開口部２１が形成される。図示例では、開口部２１が矩形状を成し、胴縁２０の長さ方向で等間隔に複数の開口部２１が形成される。この開口部２１のピッチは、ネット３０の上下端縁に形成されたナックル４０の水平方向のピッチと等しく設定される（図３参照）。胴縁２０には、開口部２１の縁部から胴縁２０の内部側へ向けてカエリ２２が設けられ、図示例では矩形状の開口部２１の胴縁幅方向の両側縁（長辺部）から、胴縁内部側へ向けて垂直に立ち上がったカエリ２２が形成されている。尚、胴縁２０の断面形状は矩形に限らず、例えば円形や楕円形に形成してもよい。
【００２１】
ネット３０は、図３に示すように、ジグザグ状に屈曲形成した複数本の列線３１の屈曲部３２同士を水平方向で係合させてなり、水平方向に延在した帯状に形成される。図示例のネット３０は、鉄製の列線を係合させて菱形の網目を形成した、いわゆる菱形金網である。ネット３０の上下端縁（図３は上端縁）には、隣接する一対の列線３１の端部同士を結合するナックル４０が形成される。尚、列線の材料は鉄に限らず、他の金属材料や弾性を有する樹脂材料を用いてもよい。また、列線の表面に亜鉛やアルミ等のめっき処理を施したり、列線を塩化ビニル等で被覆したりしてもよい。
【００２２】
ナックル４０の構成を詳しく示すために、ナックル４０の形成手順を図４〜図６を用いて説明する。尚、図４〜図６では、ナックル４０を形成する一対の列線を３１ａ・３１ｂで表し、各列線の部位を示す符号に「ａ」あるいは「ｂ」を付している。また、ここではネット３０の上端縁に形成されるナックル４０の形成手順を説明するが、ネット３０の下端縁のナックル４０も同様の方法で形成されるため、重複説明を省略する。
【００２３】
まず、ネット３０の上端縁に、列線３１ａ・３２ｂ同士の係合部３３を、ネット３０の他の箇所における係合部と同様に形成し（図４参照）、各列線３１ａ・３１ｂの端部３４ａ・３４ｂをそれぞれ下方に折り曲げる（図５参照）。この状態から各列線３１ａ・３１ｂをさらに折り曲げると共に、端部３４ａ・３４ｂをネットから厚さ方向に突出させる（図６参照）。このとき、一方の列線３１ａは、屈曲部３２ａが１８０°を超えて（図示例ではおよそ２７０°）屈曲し、端部３４ａが、自身の列線３１ａの下側（図６（ｂ）で紙面奥側）を通って、自身の列線３１ａと接触しながら交差し、先端部がネット３０から厚さ方向一方（図６（ｂ）で下方）に突出する。同様に、他方の列線３１ｂは、屈曲部３２ｂが一方の列線３１ａと反対周りで１８０°を超えて屈曲し、端部３４ｂが、自身の列線３１ｂの下側を通って、自身の列線３１ｂと当接しながら交差し、先端部がネット３０から厚さ方向他方（図６（ｂ）で上方）に突出する。これにより、ネット３０の上端縁にナックル４０が形成されると共に、ネットから厚さ方向に突出した端部３４ａ・３４ｂで係止部５０が構成される。こうして形成された係止部５０は、厚さ方向両側に突出し、図６（ｃ）に示すように、下方へ向けてネット厚さ方向の寸法（すなわち、一対の列線３１ａ・３１ｂの端部３４ａ・３４ｂ間の厚さ方向間隔）を徐々に大きくした形状を成している。
【００２４】
このように、ナックル４０を形成する列線３１ａ・３１ｂの屈曲部３２ａ・３２ｂを１８０°を超えて屈曲させることで、ナックル４０で一対の列線３１ａ・３１ｂを強固に結合することができる。特に、本実施形態では、各列線３１ａ・３１ｂがそれぞれ当接しながら交差しているため、ナックル４０が結び目のような状態となり、列線３１ａ・３１ｂの結合力がさらに高められる。
【００２５】
上記構成のナックル４０が、胴縁２０の開口部２１に固定される。具体的には、ネット３０の上下端縁に形成されたナックル４０が、それぞれ上下の胴縁２０の開口部２１の内部側に収容され、胴縁２０の内部でネット３０の係止部５０と胴縁２０のカエリ２２とが上下方向で係合することで、ネット３０の胴縁２０からの抜け止めが行われる。このとき、胴縁２０の内部に収容された係止部５０の厚さ方向寸法Ｌが、胴縁２０の開口部２１の厚さ方向の開口幅Ｗよりも大きく設定され（図３（ｃ）参照）、これにより係止部５０（列線３１の端部３４）が開口部２１から延びたカエリ２２と上下方向で係合する。このように、ネット３０の厚さ方向両側に突出させた係止部５０を、それぞれをカエリ２２と係合させることにより、ネット３０の胴縁２０からの抜けを確実に規制することができる。
【００２６】
このとき、ネット３０を胴縁２０から引き抜く方向の力、すなわち図示例では、上側の胴縁２０に対してネット３０を下向きに引っ張る力が加わると、係止部５０が、カエリ２２との係合により上方に相対的に押し上げられる。本実施形態では、図３（ｂ）及び（ｃ）に示すように、係止部５０が自身の列線３１の下側に接触しながら交差し、且つ、列線３１のうち、交差点Ｑよりも列線３１の先端側部分で係止部５０とカエリ２２とを当接させている（当接点をＰで示す）ため、係止部５０が上方に大きく変形することを交差点Ｑにより規制されるため、ナックル４０を形成する列線３１同士の係合部が解けることを確実に防止できる。
【００２７】
また、上記の構成によれば、ネット３０のナックル４０が胴縁２０の内部に収容されるため、ナックル４０及び列線３１の端部３４が外部から見えず、美観に優れたネットフェンスを得ることができる。
【００２８】
以下に、上記構成のネットフェンスの組立方法、特に、ネット３０を胴縁２０に取り付ける方法を説明する。
【００２９】
まず、地面にベース１１を所定間隔で埋め込み、各ベース１１に支柱１０を立設する。次に、隣接する支柱１０間に上下の胴縁２０を掛け渡し、支柱１０と各胴縁２０とをボルト等で固定する。
【００３０】
次に、上下の胴縁２０間にネット３０を張設する。ネット３０は、長さ方向（幅方向）に捲回したロール状にして搬送され、ロールを解きながら胴縁２０に取り付けられる。具体的には、ネット３０の上下端縁に形成されたナックル４０を、上下の胴縁２０の開口部２１に順に差し込むことにより、ネット３０と胴縁２０とが固定される。
【００３１】
ここで、ナックル４０を胴縁２０の開口部２１に差し込む方法を詳しく説明する。尚、ここでの説明では、ネット３０の上端縁に形成されたナックル４０を上側の胴縁２０の開口部２１に差し込む場合を説明するが、ネット３０の下端縁に形成されたナックル４０を下側の胴縁２０の開口部に取り付ける方法も同様であるため、重複説明を省略する。
【００３２】
ナックル４０を胴縁２０の開口部２１に下方から差し込むと、上記のように、係止部５０の厚さ方向Ｌが胴縁２０の開口部２１の厚さ方向の開口幅Ｗよりも大きく設定されるため、まず、係止部５０と胴縁２０の開口部２１の縁部とが当接する（図７（ａ）参照）。
【００３３】
さらにナックル４０を押し込むと、胴縁２０との当接により列線３１が弾性変形して係止部５０の厚さ方向寸法が小さくなる。本実施形態では、係止部５０が、列線３１の端部３４の厚さ方向間隔を下方へ向けて徐々に広げた傾斜状に形成されているため、開口部２１の縁部との当接により列線３１が自ずと弾性変形し、押し込みが進むに連れて係止部５０の厚さ方向寸法が徐々に小さくなる。そして、列線３１の先端部（下端部）が開口部２１に達すると、係止部５０の厚さ方向寸法が開口部２１の厚さ方向の開口幅と一致し、係止部５０が開口部２１の内部に収容される（図７（ｂ）参照）。
【００３４】
さらにナックル４０を押し込むと、係止部５０が厚さ方向両側からカエリ２２で拘束されながら胴縁２０の内部側に押し進められ、ついには係止部５０がカエリ２２よりも胴縁２０の内部側に完全に収容される。このとき、係止部５０を厚さ方向に拘束する力が無くなるため、係止部５０が弾性的に復元し、厚さ方向寸法が取り付け前と同じ状態（Ｌ）となる（図３（ｂ）参照）。以上により、ネット３０のナックル４０が胴縁２０の開口部２１に取り付けられる。
【００３５】
以上のように、本発明のネットフェンスでは、ネット３０のナックル４０を胴縁２０の開口部２１に側方から差し込んで取り付けるため、ネット３０が非常に長い場合であってもネット３０を胴縁２０に簡単に取り付けることができる。また、係止部５０の弾性変形を利用してナックル４０を胴縁２０にワンタッチで取り付けることができるため、より簡単に取付作業を行うことができる。さらに、上記のように、胴縁２０の開口部２１のピッチがネット３０のナックル４０のピッチと等しく設定されるため、胴縁２０の開口部２１にナックル４０を一つずつ取り付けることにより、ネット３０を適正なピッチで胴縁２０に取り付けることができる。
【００３６】
本発明は上記の実施形態に限られない。例えば、上記の実施形態では、係止部５０をネット３０の列線３１を折り曲げて形成しているが、これに限らず、例えば別途弾性変形可能な係止部を形成し、これをネットの端縁に取り付けてもよい。ただし、この場合、係止部をネットに取り付ける工程を要することとなるため、施工性を考慮すると、上記実施形態のように予め列線の端部を折り曲げて係止部を形成することが望ましい。
【００３７】
また、上記の実施形態では、胴縁２０に等間隔で開口部２１を形成しているが、これに限らず、例えば開口部２１を長さ方向で連続的に形成してもよい。この場合、ネットに形成されたナックルのピッチが異なる場合であっても、同じ胴縁を使用することができる。
【００３８】
また、上記では、ネット３０が胴縁２０にのみ固定されているが、必要に応じて、ネット３０を支柱１０にボルト等で固定したり、ネット３０の上下方向中間部に水平方向の番線を通したりして、ネット３０の固定を補強してもよい。
【符号の説明】
【００３９】
１０   支柱
１１   ベース
２０   胴縁
２１   開口部
２２   カエリ
３０   ネット
３１   列線
３２   屈曲部
３３   係合部
３４   端部
４０   ナックル
５０   係止部
【図１】
2011102471.tif 000003
【図２】
2011102471.tif 000004
【図３】
2011102471.tif 000005
【図４】
2011102471.tif 000006
【図５】
2011102471.tif 000007
【図６】
2011102471.tif 000008
【図７】
2011102471.tif 000009